(57)【要約】【課題】従来より採用されている通信手順を変更することなく、セキュリティシステム側と複数のエレベータ側との間の信号通信を確実に行えるエレベータシステムを提供する。【解決手段】エレベータシステムにおいて、セキュリティシステム３から送信される解除信号に応じて駆動される複数のエレベータ１ａ〜１ｎと、セキュリティシステム３から送信される解除信号を分配して複数のエレベータ１ａ〜１ｎに送信し、個々のエレベータ１ａ〜１ｎとの間で１：１通信を行う信号分配装置４と、を備える。【選択図】    図２
2008074587.tif 000002
【特許請求の範囲】
【請求項１】
セキュリティシステムから送信される解除信号に応じて駆動される複数のエレベータと、
前記セキュリティシステムから送信される前記解除信号を分配して複数の前記エレベータに送信し、個々の前記エレベータとの間で１：１通信を行う信号分配装置と、
を備えることを特徴とするエレベータシステム。
【請求項２】
前記解除信号を複数の前記エレベータに送信するタイミングを、非同期のタイミングと同期したタイミングとに切替可能な切替手段が設けられていることを特徴とする請求項１記載のエレベータシステム。
【請求項３】
前記解除信号を複数の前記エレベータに送信するタイミングを非同期のタイミングと同期したタイミングとに前記切替手段を切替操作する操作部として、外部から操作可能な外部切替スイッチが設けられていることを特徴とする請求項２記載のエレベータシステム。
【請求項４】
複数の前記エレベータから前記分配装置に送信される特定の同種信号について、最初の信号を受信した後の一定時間内に受信する他の信号を破棄する破棄手段が設けられていることを特徴とする請求項１ないし３のいずれか一記載のエレベータシステム。
【発明の詳細な説明】
【技術分野】
【０００１】
本発明は、エレベータシステムに関し、特に、セキュリティシステムに連動してエレベータを駆動させるエレベータシステムに関する。
【背景技術】
【０００２】
例えば、下記特許文献１に記載されているように、インターホンシステムや鍵システム等のセキュリティシステムに連動してエレベータを駆動させるエレベータシステムが知られている。
【０００３】
このようなエレベータシステムでは、建物への来訪者がセキュリティシステムにより建物への入場を許可され、及び、エレベータの利用が許可されると、玄関のオートドアが開放され、エレベータが玄関階に呼戻される。
【特許文献１】特開平７−２５２０３０号公報
【発明の開示】
【発明が解決しようとする課題】
【０００４】
しかしながら、前述のエレベータシステムにおいては、以下の点について配慮がなされていない。
【０００５】
上述したようなエレベータシステムと連動するセキュリティシステムは、エレベータシステム以外に宅配ボックスシステム等と連動することを想定し、ＲＳ２３２ＣケーブルやＲＳ４２２ケーブルを用いて通信を行うための複数の出力部が設けられている。このＲＳ２３２ＣケーブルやＲＳ４２２ケーブルを用いる通信方式は１：１通信であり、セキュリティシステムに設けることができる出力部の数には限りがある。このため、１つの建物内に複数のエレベータが設置されている場合には、全てのエレベータに対して信号を供給できないという問題が発生する。
【０００６】
なお、信号を電気的に分配する市販品の分配器を用いれば、セキュリティシステムから出力される信号をエレベータの数に分配することができ、セキュリティシステムの出力部の数が少なくても複数のエレベータに信号を送信する１：Ｎ通信が可能となる。
【０００７】
しかし、セキュリティシステムとエレベータとの間の通信では、一般に、セキュリティシステムからエレベータへ信号（解除信号）が送信された後、エレベータからセキュリティシステムへ信号（応答確認信号、又は、非応答確認信号）を返信するという処理を行っている。このため、市販の分配器を用いた１：Ｎ通信を行った場合には、複数のエレベータから同じタイミングで返信される複数の信号が衝突して壊れ、セキュリティシステムでは正常な信号（応答確認信号、又は、非応答確認信号）と認識することができなくなる。つまり、市販品の分配器を用いたのでは、セキュリティシステムと複数のエレベータとの間で正常な信号のやりとりを行うことが困難である。
【０００８】
本発明はこのような課題を解決するためになされたもので、その目的は、従来より採用されているセキュリティシステムとエレベータとの間の１：１通信の通信方式を変更することなく、セキュリティシステムに連動させて複数のエレベータを駆動させることができるエレベータシステムを提供することである。
【課題を解決するための手段】
【０００９】
本発明の実施の形態に係る第１の特徴は、エレベータシステムにおいて、セキュリティシステムから送信される解除信号に応じて駆動される複数のエレベータと、前記セキュリティシステムから送信される前記解除信号を分配して複数の前記エレベータに送信し、個々の前記エレベータとの間で１：１通信を行う信号分配装置と、を備えることである。
【発明の効果】
【００１０】
本発明によれば、従来より採用されているセキュリティシステムとエレベータとの間の１：１通信の通信方式を変更することなく、セキュリティシステムに連動させて複数のエレベータを駆動させることができる。
【発明を実施するための最良の形態】
【００１１】
以下、本発明の一実施の形態を図面を用いて説明する。
【００１２】
本発明の一実施の形態に係るエレベータシステムが設けられている建物には、複数のエレベータ１ａ，１ｂ，…，１ｎが設けられている。建物の入口や各エレベータ１ａ，１ｂ，…，１ｎの入口横には認証装置２が設置されており、これらの認証装置２はセキュリティシステム３の端末機として構成されている。セキュリティシステム３には、信号分配装置４が接続されている。信号分配装置４には、各エレベータ１ａ，１ｂ，…，１ｎのエレベータ制御装置５ａ，５ｂ，…，５ｎが接続されている。
【００１３】
セキュリティシステム３では、建物内への来訪者の入場を許可するか否か、エレベータ１ａ，１ｂ，…，１ｎの利用を許可するか否かの判断が行われる。セキュリティシステム３において、来訪者の入場を許可する、及び、エレベータ１ａ，１ｂ，…，１ｎの利用を許可すると判断された場合には、建物のオートドアが開放され、セキュリティシステム３からエレベータ制御装置５ａ，５ｂ，…，５ｎに向けて解除信号が送信される。セキュリティシステム３から送信される解除信号は信号分配装置４により受信され、この解除信号が信号分配装置４において分配されて複数のエレベータ制御装置５ａ，５ｂ，…，５ｎに送信され、個々のエレベータ１ａ，１ｂ，…，１ｎとの間で１：１通信が行われる。
【００１４】
信号分配装置４の内部構造を図２に示す。信号分配装置４は、セキュリティシステム通信選択部６と、セキュリティシステム通信部７と、転送部８と、複数のエレベータ通信部９ａ，９ｂ，…，９ｎと、複数のエレベータ通信選択部１０ａ，１０ｂ，…，１０ｎと、スイッチ入力部１１とを備えている。
【００１５】
セキュリティシステム通信選択部６は、セキュリティシステム３と信号分配装置４との間の通信を、ＲＳ２３２ＣケーブルとＲＳ４２２ケーブルとのいずれで行うかを選択する部分である。このセキュリティシステム通信選択部６には、ＲＳ２３２Ｃブロック１２とＲＳ４２２ブロック１３とが交換可能又は切替可能に設けられている。セキュリティシステム３と信号分配装置４との間の通信をＲＳ２３２Ｃケーブルで行う場合にはＲＳ２３２Ｃブロック１２を使用し、セキュリティシステム３と信号分配装置４との間の通信をＲＳ４２２ケーブルで行う場合にはＲＳ４２２ブロック１３を使用する。
【００１６】
セキュリティシステム通信部７は、セキュリティシステム３で定められた通信手順のやり取りを遵守し、セキュリティシステム通信選択部６を介してセキュリティシステム３との間で信号の送受信を行う部分である。セキュリティシステム通信部７には、セキュリティシステム３との間で通信が正常に行えない場合にセキュリティシステム３側が故障していることを検出するセキュリティシステム故障検出部１４が設けられている。
【００１７】
転送部８は、セキュリティシステム３から送信される信号を、複数のエレベータ通信部９ａ，９ｂ，…，９ｎに分配して転送する部分である。転送部８には、複数のエレベータ通信部９ａ，９ｂ，…，９ｎへの信号の転送タイミングを、非同期のタイミングと同期したタイミングとに切替可能な切替手段である切替部１５が設けられている。信号の転送を非同期のタイミングで行う非同期処理は、セキュリティシステム通信部７で解除信号が順次受信されるタイミングで、エレベータ通信部９ａ，９ｂ，…，９ｎに対してタイミングを合わせることなく送信する方式である。信号の転送を同期したタイミングで行う同期処理は、セキュリティシステム通信部７で解除信号が順次受信されるタイミングで、全てのエレベータ通信部９ａ，９ｂ，…，９ｎに対して同じタイミングで送信する方式である。
【００１８】
転送部８には、複数のエレベータ通信部９ａ，９ｂ，…，９ｎから特定の同種信号、例えば、起動した個々のエレベータ１ａ，１ｂ，…，１ｎから送信される起動信号を受信した場合、最初の起動信号を受信してから一定時間内に受信する他の起動信号を破棄する破棄手段である破棄処理部１６が設けられている。
【００１９】
エレベータ通信部９ａ，９ｂ，…，９ｎは、セキュリティシステム３で定められた１：１通信の通信手順のやり取りを遵守し、エレベータ通信選択部１０ａ，１０ｂ，…，１０ｎを介してエレベータ制御装置５ａ，５ｂ，…，５ｎとの間で信号の送受信を行う部分である。これにより、セキュリティシステム３から見れば、エレベータは1台のみが接続されている状態と同じになり、エレベータ１ａ，１ｂ，…，１ｎから見れば、各エレベータ１ａ，１ｂ，…，１ｎに対してそれぞれセキュリティシステム３が一台ずつ接続されている状態と同じになる。
【００２０】
エレベータ通信部９ａ，９ｂ，…，９ｎには、エレベータ制御装置５ａ，５ｂ，…，５ｎとの間で信号の送受信を行えない場合に、エレベータ１ａ，１ｂ，…，１ｎ側が故障していることを検出するエレベータ故障検出部１７ａ，１７ｂ，…，１７ｃが設けられている。
【００２１】
エレベータ通信選択部１０ａ，１０ｂ，…，１０ｎは、エレベータ通信部９ａ，９ｂ，…，９ｎとエレベータ制御装置５ａ，５ｂ，…，５ｎとの間の通信を、ＲＳ２３２ＣケーブルとＲＳ４２２ケーブルとのいずれで行うかを選択する部分である。このエレベータ通信選択部１０ａ，１０ｂ，…，１０ｎには、ＲＳ２３２Ｃブロック１８ａ，１８ｂ，…，１８ｎとＲＳ４２２ブロック１９ａ，１９ｂ，…，１９ｎとが交換可能又は選択可能に設けられている。エレベータ通信部９ａ，９ｂ，…，９ｎとエレベータ制御装置５ａ，５ｂ，…，５ｎとの間の通信をＲＳ２３２Ｃケーブルで行う場合にはＲＳ２３２Ｃブロック１８ａ，１８ｂ，…，１８ｎを使用し、エレベータ通信部９ａ，９ｂ，…，９ｎとエレベータ制御装置５ａ，５ｂ，…，５ｎとの間の通信をＲＳ４２２ケーブルで行う場合にはＲＳ４２２ブロック１９ａ，１９ｂ，…，１９ｎを使用する。
【００２２】
スイッチ入力部１１は、転送部８における分配して転送する処理を、非同期処理とするか同期処理とするかを決定する入力が行われる部分である。
【００２３】
スイッチ入力部１１には、非同期処理と同期処理との切替操作を外部から操作可能な外部切替スイッチ２０が接続されている。外部切替スイッチ２０は、信号分配装置４の外部であって切替操作を容易に行える箇所、例えば、管理人室に設置されている操作盤などに設けられている。
【００２４】
このような構成において、来訪者が認証装置２で認証行為を行うと、認証装置２により検知された認証情報がセキュリティシステム３に送信され、建物への来訪者の入場を許可するか否か、及び、エレベータ１ａ，１ｂ，…，１ｎの利用を許可するか否か等が判断される。エレベータ１ａ，１ｂ，…，１ｎの利用を許可すると判断された場合には、セキュリティシステム３から信号分配装置４に対してエレベータ１ａ，１ｂ，…，１ｎの運行を許容する解除信号が出力される。信号分配装置４に対して出力された解除信号は、信号分配装置４により分配され、各エレベータ制御装置５ａ，５ｂ，…，５ｎに転送される。
【００２５】
解除信号を転送された各エレベータ制御装置５ａ，５ｂ，…，５ｎは、必要に応じて、認証された階床へエレベータの呼戻しを行うか否かを判断し、対象となるエレベータが認証された階床に呼戻される。
【００２６】
ここで、信号分配装置４内では、セキュリティシステム３から送信された解除信号が転送部８において分配され、分配された解除信号がエレベータ通信部９ａ，９ｂ，…，９ｎを介してエレベータ制御装置５ａ，５ｂ，…，５ｎに送信される。また、この送信後に、エレベータ制御装置５ａ，５ｂ，…，５ｎからの返信信号（応答確認信号又は非応答確認信号）がエレベータ通信部９ａ，９ｂ，…，９ｎを介して返信される。なお、返信信号が非応答確認信号の場合は、セキュリティシステム３から解除信号が再度送信される。
【００２７】
これにより、セキュリティシステム３から見れば、エレベータは1台のみが接続されている状態と同じになり、エレベータ１ａ，１ｂ，…，１ｎから見れば、各エレベータ１ａ，１ｂ，…，１ｎに対してそれぞれセキュリティシステム３が一台ずつ接続されている状態と同じになる。このため、複数のエレベータ制御装置５ａ，５ｂ，…，５ｎから返信される返信信号が衝突して壊れるということが発生せず、セキュリティシステム３と複数のエレベータ制御装置５ａ，５ｂ，…，５ｎとの間の信号通信を、従来の１：１通信の通信方式を変えることなく確実に行うことができる。
【００２８】
セキュリティシステム３から解除信号が送信された場合、この解除信号はセキュリティシステム通信部７で受信された後、セキュリティシステム通信部７から転送部８に送信され、転送部８からエレベータ通信部９ａ，９ｂ，…，９ｎに分配して送信される。この分配して送信するタイミングに関して、外部切替スイッチ２０を操作して切替部１５の切替えを行うことにより、非同期処理と同期処理とのいずれかを選択することができる。
【００２９】
外部切替スイッチ２０を切替えて非同期処理を選択した場合には、セキュリティシステム通信部７で解除信号が順次受信されるタイミングで、解除信号はエレベータ通信部９ａ，９ｂ，…，９ｎに対してタイミングを合わせることなく送信される。このため、エレベータ呼びに要する時間を短縮することができる。
【００３０】
一方、外部切替スイッチ２０を切替えて同期処理を選択した場合には、セキュリティシステム通信部７で解除信号が順次受信されたタイミングで、解除信号はエレベータ通信部９ａ，９ｂ，…，９ｎに対して同じタイミングで送信される。このため、複数のエレベータ１ａ，１ｂ，…，１ｎを群管理する場合に好適である。
【００３１】
しかも、外部切替スイッチ２０が、信号分配装置４の外部であって切替操作を容易に行える箇所、例えば、管理人室に設置されている操作盤などに設けられているため、切替操作を手間をかけずに容易に行うことができる。
【００３２】
エレベータ１ａ，１ｂ，…，１ｎが起動された場合、各エレベータ１ａ，１ｂ，…，１ｎからセキュリティシステム３へそれぞれ起動信号が送信される。起動信号がセキュリティシステム３に送信された場合、エレベータの起動を検知したセキュリティシステム３ではエレベータ呼びに関する処理の初期化が行われる。起動した複数のエレベータ１ａ，１ｂ，…，１ｎから起動信号がセキュリティシステム３に送信されると、セキュリティシステム３では起動信号が送信されるごとに初期化が繰り返し行われる。しかし、この初期化の繰り返しは不要な処理であり、セキュリティシステム３の負担を増大させている。そこで、転送部８に破棄処理部１６を設けることにより、エレベータ１ａ，１ｂ，…，１ｎから送信される起動信号を受信した場合、最初の起動信号を受信してから一定時間内に受信する他の起動信号を破棄することができる。これにより、不要な処理を繰り返すというセキュリティシステム３の負担を軽減することができる。
【図面の簡単な説明】
【００３３】
【図１】本発明の一実施の形態に係るエレベータシステムを示すブロック図である。
【図２】信号分配装置の内部構造と信号分配装置に対する接続構造を示すブロック図である。
【符号の説明】
【００３４】
１ａ，１ｂ，…，１ｎ  エレベータ
３      セキュリティシステム
４      信号分配装置
１５      切替手段
１６      破棄手段
２０      外部切替スイッチ
【図１】
2008074587.tif 000003
【図２】
2008074587.tif 000004